(57)【要約】【課題】床面の係止穴の深度に対応した係止棒部材の突出量の変化に応じてケースに対する係止棒部材の固定位置を加減調節できるフランス落としを得る。【解決手段】扉体３０における縦框３２に埋設されるケース１２に係止棒部材１３、１５を昇降可能に配置し、床面６０側に設けた係止穴６４に該係止棒部材１３、１５の降下によって扉３０を固定するフランス落とし１０が、ケース１２の内部壁１７に複数のロック部１８を縦方向に順次に連設し、また、係止棒部材１３、１５にその昇降動作に連動すると共にケース１２内壁１７の各ロック部１８に弾性係合可能な係合子１９を有した弾性ロック腕２０を具備した構成とし、係止棒部材１３、１５の係止穴６４への落とし込降下量に対応して何れかのロック部１８と係合子１９との弾性ロック係合を得るようにした。【選択図】図４
2006161472.tif 000002
【特許請求の範囲】
【請求項１】
扉体における縦框の下部に埋め込まれるケースに係止棒部材を昇降可能に配置し、床面側に設けた係止穴に該係止棒部材の落とし込みによって扉を固定するフランス落としにおいて、
前記ケースの内部壁に複数のロック部を縦方向に順次に連設し、他方、前記係止棒部材に該部材の昇降動作に連動すると共に前記ケース内部壁の各ロック部に弾性係合可能な係合子を有した弾性ロック腕を具備した構成とし、前記係止棒部材の前記係止穴への落とし込降下量に対応して何れかのロック部と係合子との弾性ロック係合を得るようにしたことを特徴とするフランス落とし。
【請求項２】
前記ケースの内面に設けられる複数のロック部は、複数の凹溝として形成され、このとき、前記係止棒部材の弾性ロック腕に設けられる前記係合子は、該弾性ロック腕の先端域に設けた爪状部として形成し、該係止棒部材が扉固定位置へ向けて落ち込み、相手側の係止穴に嵌入し、下降限界に達した際に、連動して降下する前記弾性ロック腕の爪状部が前記複数凹溝の何れか丁度対応した凹溝に弾性的に係合する構成とした請求項１に記載のフランス落とし。
【請求項３】
前記ケース、前記係止棒部材、前記弾性ロック腕は硬質合成樹脂材料を用いて成形加工法によって製造されることを特徴とする請求項１又は２に記載のフランス落とし。
【請求項４】
前記弾性ロック腕は、前記係止棒部材の上部に一体形成した摺動部材の左右両側に一対にして設けられ、このとき、前記ケースの内部壁に形成される前記ロック部は対応して左右の内部壁にそれぞれ複数が設けられる請求項１から３項の何れか１項記載のフランス落とし。
【発明の詳細な説明】
【技術分野】
【０００１】
本発明は、扉に装着され、その扉を必要に応じて、また解除可能に所定の位置に固定するために用いられる係止手段、つまりフランス落としに関する。
【背景技術】
【０００２】
従来から、一般住宅をはじめオフィスビルディング等の建物入口や内部の部屋、室への出入り口等に開き扉や仕切扉が設置される際には、必要に応じて扉を全面的に開扉可能に、しかも通常は扉を閉扉された一定状態位置に固定する手段としてフランス落としが常用されている。
【０００３】
このフランス落としは、扉体の縦框の下部部位に穿設した凹所へ埋め込まれたケース部に丸棒又は角棒形状を有した係止部材がマニュアル操作で昇降可能に装着された構成にあり、下降時に同係止部材が床面に所定位置に予め削設した縦係止穴に嵌入させ、以って扉を所定位置に固定するものである。
【０００４】
特許文献１は、この種のフランス落としにおいて、上記係止部材を床面に設けた係止穴に落とし込んだ際に、両者の間に隙間が形成され、確実、強固な固定状態が得られない点を改善する手段を提供しているものであり、係止部材の断面形状を円形断面と異なる長円形等とし、その長円形断面の係止棒が相手の係止穴の穴壁面に対して接触状態で係止するように若干の螺旋動作を伴って昇降動するように工夫し、常に接触係止により棒と穴との間で隙間が発生しないようにしているものである。その成果としてフランス落としを下ろした時には、扉はガタつくことなく、確実に固定されるようになっている。つまり、フランス落としと、その係止穴との間に生じる一つの課題を解決したものである。そして、係止部材は、通常、扉固定位置まで降ろされた際には、本体ケースに形成した凹所形状等のロック部に係止部材側のロック腕先端に設けた爪が係合して適正度合いのロック状態を形成し、以って係止部材が簡単には固定位置から昇動しないように昇降方向にも安定した固定状態を確保するように構成してある。
【０００５】
然しながら、この種のフランス落としは、両開き扉を一般住宅のフローリング面等の様に木製床面を相手として固定する場合もあれば、オフィスビルディング等におけるコンクリート床面を相手として扉を固定する場合もあり、必ずしも扉の固定対象が一定しているとは限らないのが現状である。このような床面条件の多様性は、フランス落としの係止部材ないし係止棒を床面に削設した係止穴に落とす際に穴深さが必ずしも一定していないと言う不都合を発生させている。つまり、係止穴の削設作業者と出入り口への扉の設置、フランス落としの取り付け等を施工する作業者とが一致していることは無いので、建物構造条件等から係止穴位置が設計図通りに形成されていてもその係止穴の浅深度合いまで確実に所望の通りに形成されているとは限らないのが普通である。また、木製フローリング床面の場合であってもその下層のコンクリート面にまで達する状態で係止穴が適正深さを有するように形成されているとは限らない場合も多々発生している。
【０００６】
【特許文献１】特許第３５５３１３６号公報
【発明の開示】
【発明が解決しようとする課題】
【０００７】
上述のように、フランス落としの係止棒は、床面に削設した係止穴の浅深に応じて昇降方向において、充分に既述のようなロック状態を確保し得ない事態も発生し、コンクリート部に再度、穿孔作業を施して係止穴深さを修正する手間、それに要する工具の持ち込み等の付加作業を伴うことからフランス落としの取付け施工を煩瑣にする結果と成っており、この種の不都合を解決することが課題となっている。
また、上述した不都合をフランス落としの内部機構を、しかも比較的安価に改善することを課題とするものである。
【課題を解決するための手段】
【０００８】
依って、本発明は、上述した課題を解決するために、扉体における縦框の下部に埋め込まれるケースに係止棒部材を昇降可能に配置し、床面側に設けた係止穴に該係止棒部材の落とし込みによって扉を固定するフランス落としにおいて、前記ケースの内部壁に複数のロック部を縦方向に順次に連設し、他方、前記係止棒部材に該部材の昇降動作に連動すると共に前記ケース内部壁の各ロック部に弾性係合可能な係合子を有したロック腕を具備した構成とし、前記係止棒の前記係止穴への落とし込降下量に対応して何れかのロック部と係合子との弾性ロック係合を得るようにした構成のフランス落としを提供するものである。
【０００９】
上述した構成を有した本発明に係るフランス落としでは、あらかじめ床面側に設けられる係止穴の浅深度合いを予測して複数のロック部をフランス落としのケース内部壁の隠れ位置に設け、その複数のロック部に対して、係止棒部材側の係合子を有したロック腕が該棒部材の降下動作に連動して降下しながら係止穴への落ち込み限界に達したとき、その落ち込み量の多少に応じて適宜のロック部に腕が弾性的にその係合子を係合させてロック状態を形成できるから、フランス落としによる扉固定が床面側の係止穴の深さの相違に影響されることなく、所望の安定度の下に達成できることとなり、フランス落としの取付け施工をも簡便化する効果を奏することができる。
【００１０】
なお、好ましくは、上述したフランス落としのケースの内部壁に設けられる複数のロック部は、複数の凹溝として形成され、このとき、係止棒部材のロック腕に設けられる係合子は、該ロック腕の先端域に設けた爪状部として形成し、ロック腕が扉固定位置へ向けて落ち込み、相手側の係止穴に嵌入し、下降限界に達した際に、連動して降下するロック腕の爪状部が複数凹溝の何れか丁度対応した凹溝に弾性的に係合してロック状態を得るようにする。
【００１１】
もちろん、上記構成とは逆に、ケースの内面に設けられる複数のロック部を複数の蒲鉾形の凸部を係止棒部材の昇降動作方向に連接した構成とし、係止棒部材のロック腕に設けられる係合子は、該ロック腕の先端域に設けた凹部として形成し、ロック腕が扉固定位置へ向けて落ち込み、降下する過程で下降限界に達したとき、連動して降下するロック腕の凹部が複数の蒲鉾形の凸部の何れか丁度対応する凸部に弾性的に係合してロック状態を得るようにしても良いことは言うまでもない。
更に好ましくは、上述した弾性ロック腕は、上記係止棒部材の上部に一体形成した摺動部材の左右両側に一対にして設けられ、このとき、上記ケースの内部壁に形成される上記ロック部は対応して左右の内部壁にそれぞれ複数が設けられるように形成される。
【００１２】
なお、フランス落としのケース、係止棒部材、ロック腕等はポリアセタール等の適宜の合成樹脂材料を用いて成形加工法によって製造することが好ましく、またステンレス鋼板やアルミ合金材料によりダイキャスト法や絞り加工法等で形成することも可能であり、何れの素材、加工法に因るものも上述した複数のロック部と、係合子を有したロック腕とを具備した構成を採る限り、本発明の技術範囲に属するものであることを理解すべきである。
以下、本発明を添付図面に示す好ましい実施形態に基づいて説明する。
【発明を実施するための最良の形態】
【００１３】
図１は、本発明の実施形態に係るフランス落としが開き扉の縦框に埋設、装着されて相手の床面に予め設けられた係止穴と対向している状態を示した斜視図であり、図２は、図１の２−２線に沿う断面図、図３は、係止棒部材が係止穴に落とされて扉を固定状態にしている状況を説明する断面図、図４は、係止棒がケース内に昇動、収納された状態における本実施形態に係るフランス落としのより具体的な構造を示す正面図、図５は同係止棒部材が最大限、ケース外に降下、突出した状態における図４同様の本実施形態に係るフランス落としの正面図、図６は、同実施形態における係止棒部材の構造部材を分離、詳細に示した分解状態の正面図である。
【００１４】
図１〜図３において、フランス落とし１０は、開き扉等の扉３０における縦框３２の下部位に埋設、固定されるケース１２と、このケース１２の内部に昇降可能に配設された摺動部材１３と、この摺動部材１３の下端に適宜の連結棒１１を介して垂設される棒状体１４とから成る係止棒部材１５とから基本構成されている。
【００１５】
そして、ケース１２は、例えばポリフェノール（POM）等の硬質合成樹脂材料により裏面側を開口させた中空体に形成され、その上端ならびに中央部下方に止めねじ２９の通孔を形成したボス部４１並びに４２、４２が一体に形成されており、これらのボス部４１、４２、４２によって囲繞される内部室４３に所定長さを有した摺動部材１３が摺動可能に嵌装されている。
【００１６】
ここで、摺動部材１３の左右側壁１６、１６には、ケース１２の左右内部壁１７、１７に設けられ、後に詳述する複数個の凹溝（ロック部を成す）１８、１８に対して弾性的に係止する係合子１９、１９を備えた弾性ロック腕２０、２０が設けられている。
【００１７】
また、図１に詳示するように、ケース１２の前板部４６には上記摺動部材１３の前面５３に突設させた操作片５４を所定の昇降距離に渡って露出、突出させるための縦長の窓４７が形成されている。
【００１８】
更に、摺動部材１３の下端に連結棒１１を介して垂設される係止棒部材１５の
棒状体１４は、先端が非円形断面を有するごとく形成され、後述する床面側の係止凹所への突出部をなしている。
更にまた、ケース１２の底板４８には上記の係止棒部材１５の棒状体１４が挿設される挿通孔４９が貫設されており、この挿通孔４９の周壁を案内にして係止棒部材１５が昇降動作するように形成されている。
従って、上記の操作片５４を人が昇降方向に操作すると、摺動部材１３と係止棒部材１５が一体となって軸心に沿って昇降する。
【００１９】
一方、図１〜図３において、扉３０と対向した床面６０には上述したフランス落とし１０の摺動部材１３と係止棒部材１５が降下した際に係止するための止座６２が床面から沈めた形態で設けられ、その中央領域に凹形受けケース６３によって形成される係止穴６４が配設、形成されている。
この凹形受けケース６３により形成される係止穴６４は、上記係止棒部材１５の先端の断面形状と可及的に相補した開口形状として設けられ、ガタ無く係止棒部材１５が同係止穴６４の壁面に接触して係止するように設計される。更に、係止棒部材１５が降下したとき、弾性ロック腕２０、２０が有する係合子１９、１９が、ケース１２の内部壁１７、１７に形成した最下位の凹溝（ロック部）１８、１８に弾性的に係合して係止棒部材１５、摺動部材１３が振動等の伝播に応じてケース１２内部に向け上動戻りしないように成っている。この結果、フランス落とし１０を介して扉３０は床面６０に対してガタつくこと無く所定の開閉位置に固定される。図３は、係止棒部材１５が係止穴６４に降下して扉３０を床面６０に対して固定した状態例示しているものである。
【００２０】
さて、上述のような構成を有したフランス落とし１０において、床面６０に埋設形態で設けられる止座６２は、その床面６０に予め床面６０の施工時に削設ないし穿設された穴位置に沈めることにより、埋設されるが、特に床面６０がコンクリート床面であれば、扉３０の取付け、フランス落とし１０の取付け時点では既にコンクリートも固形化されている。そして、そのコンクリート床面６０に形成された穴の浅深度合いが加工誤差等を含めて必ずしも一定深さに形成されてはいない。故にこの点に鑑みて、特に、穴の深度が不十分で止座６２の凹形受けケース６３が確実に埋設できない時は、フランス落とし１０の取付け作業時にコンクリート床面６０の係止穴６４の深度修正の穿孔加工を実行することは、煩瑣であり、かつコンクリートの穿孔加工具を準備することが必要となる不都合がある。
【００２１】
そこで、予め係止穴６４の浅深度が相互に異なる複数種の凹形受けケース６３を準備、確保しておくことで、比較的簡単に対処することは可能である。
然しながら、フランス落とし１０の摺動部材１３や係止棒部材１５をも予め異なる寸法の部品を用意して相手側の係止穴６４に確実に落とし込んで一定の固定状態を確保するように対処することは、フランス落とし１０の製造に要する部品点数を徒に増加させることとなり、しかも両部材１３、１５が単純形状部品ではないことを勘案するなら、極めて不経済である。
【００２２】
本発明の実施形態に係るフランス落とし１０は、この点に鑑みてケース１２の左右内部壁１７、１７に複数のロック部用凹溝１８、１８を縦方向に連接、具備していることから、係止棒部材１５が係止穴６４に向けて降下して限界量まで落とし込まれた時点でもなお、最下位に形成された凹溝１８、１８と弾性腕２０、２０の係合子１９、１９が対応、係合不可能なときには、その最下位の凹溝１８、１８よりも上位に設けられた複数の凹溝１８、１８の何れかには弾性的に係合して係止棒部材１５、摺動部材１３の戻り上動等が発生しないように固定、保持することが可能となるのである。この結果、扉３０の床面６０に対する所定位置での固定の確実に確保し得ることは言うまでもない。
【００２３】
つまり、本発明の技術思想によれば、フランス落とし１０は、その内部の構造を比較的簡単な改善設計に基づいて製造することで、フランス落としの本来的な扉３０の固定機能の発揮と、製造コストの徒な増加を抑制し、かつ取付け作業に要する工数を極力、低減化して効率的なフランス落とし１０の取付けを完成させ得る効果を奏することになるのである。
【００２４】
ここで更に、図４、図５を参照すると、本実施形態に係るフランス落とし１０の詳細な構造が図示され、前者では、係止棒部材１５が摺動部材１３と共にケース１２の内部に上動、収納された状態（図２を参照）を示し、後者は、操作片５４を手動操作して係止棒部材１５を摺動部材１３と一緒に降下させてケース１２の底部から突出させた状態（図３を参照）を示している。
【００２５】
ここで、注目すべきは、ケース１２の内部の壁面に最上位位置に一つの凹溝１８が、そして同様な複数の凹溝１８が上記最上位よりも摺動部材１３の昇降ストローク量だけ下方位置に略等間隔（例えば２〜３ミリメートルピッチ）で形成されている。これらの凹溝１８において最上位の凹溝１８は図４に図示の如く摺動部材１３が係止棒部材１５と一緒にケース１２の内部で上動によって最上部位置に達したとき、同摺動部材１３の左右側壁１６、１６に設けた弾性ロック腕２０、２０の係合子１９、１９が弾性的に係合して摺動部材１３をケース１２の内部に係止するロック機能を奏する。
【００２６】
他方、上記最上位の凹溝１８より下方に設けた複数の凹溝１８は、摺動部材１３が係止棒部材１５と一緒にケース１２内から降下し、同ケース１２の底板４８に形成された通孔４９を経て突出した際に、摺動部材１３の両側壁１６に設けられた弾性ロック腕２０、２０の係合子１９、１９が係止棒部材１５の突出量に応じて複数の凹溝１８における何れか一つの、丁度対向した凹溝１８に弾性的に係合して摺動部材１３と係止棒部材１５との両者を突出位置でロックする機能を奏する。つまり、係止棒部材１５が床面側の係止穴６４（図３参照）の深度に応じて昇降ストロークにおける最大ストローク分だけ降下、下動し得なかった場合でも複数の連設された凹溝１８における一つには確実に弾性的に係合するから、既述のように、係止棒部材１５が摺動部材１３と共に何らかの振動、ショック等の伝達に従って不本意に上動してケース１２の内部に引っ込んでしまうと言う不都合は、確実に阻止できるのである。
【００２７】
図６は、上述した摺動部材１３と係止棒部材１５との構造を詳示しており、好ましくは、両者は、ロック腕２０、２０を有した摺動部材１３と、連結棒１１及び棒状体１４とから成る係止棒部材１５とに予め別部品として合成樹脂材の成形加工法等によって形成され、更に両者１３、１５を適宜の固定部材、例えば図示の如く箱体状の固定子２５を用いて摺動部材１３の下部の連結室１３aに係止棒部材１５の連結棒１１における結合ヘッド１１aを連結して一体化する構成で製造、組立てされる。
なお、摺動部材１３の左右側壁１６、１６に形成する弾性ロック腕２０、２０は先端に爪状の係合子１９、１９を外向きに有してその長さ方向と交差する横方向に弾性変位可能な腕体として形成すれば良く、成形加工によれば、比較的容易に加工、形成することができる。
【００２８】
なお、上述した実施形態におけるケース１２の内部壁面に設けた複数の凹溝１８から成るロック部と、摺動部材１３に設けたロック腕２０、２０の係合子１９、１９とから成る固定、係合機構は、逆に異なる実施形態としてケース１２の内部壁１７、１７に複数の凸状のロック部を形成し、摺動部材１３の弾性ロック腕２０、２０の先端に爪状の係合子１９、１９に代えて上記凸状ロック部と係合可能な凹所を形成した構成とすることも可能である。
【００２９】
以上、本発明を好ましい実施形態に基づいて説明したが、既述のように、本発明によれば、フランス落としが、従来から周知のフランス落としの構造を踏襲しながら、その内部の構造を比較的簡単な改善設計に基づいて加工、組立てすることで、フランス落としの本来的な床面を相手に扉の固定機能を発揮し、かつ製造コストの徒な増加を抑制し、しかも取付け作業に要する工数を極力、低減させて効率的なフランス落とし１０の取付けを完成させ得る効果を奏することになるのである。
【図面の簡単な説明】
【００３０】
【図１】本発明の実施形態に係るフランス落としが開き扉の縦框に埋設、装着されて相手の床面に予め設けられた係止穴と対向している状態を示した斜視図、
【図２】図１の２−２線に沿う断面図、
【図３】係止棒部材が係止穴に落とされて扉を固定状態にしている状況を説明する断面図、
【図４】係止棒がケース内に昇動、収納された状態における本実施形態に係るフランス落としのより具体的な構造を示す正面図、
【図５】同係止棒部材が最大限、ケース外に降下、突出した状態における図４同様の本実施形態に係るフランス落としの正面図、
【図６】同実施形態における係止棒部材の構造部材を分離、詳細に示した分解状態の正面図。
【符号の説明】
【００３１】
１０：フランス落とし
１２：ケース
１３：摺動部材
１４：棒状体
１５：係止棒部材
１６：側壁
１７：内部壁
１８：凹溝（ロック部）
１９：係合子
２０：弾性ロック腕
３０：両開き等の扉
３２：縦框
６０：床面
６２：止座
６３：凹形受けケース
６４：係止穴
【図１】
2006161472.tif 000003
【図２】
2006161472.tif 000004
【図３】
2006161472.tif 000005
【図４】
2006161472.tif 000006
【図５】
2006161472.tif 000007
【図６】
2006161472.tif 000008